(57)【要約】【課題】第三者からの不正アクセスを防止し、セキュリティの向上を図る。【解決手段】電波設定入力手段１ａは、アンテナ１ｃを介して端末装置２ａ，２ｂと無線通信を行う電波の電波強度が設定入力される。電流制御手段１ｂは、電波設定入力手段１ａに設定された電波強度に応じて、アンテナ１ｃに出力される、端末装置２ａ，２ｂに送信しようとするデータの信号電流量を増減する。これにより、端末装置２ａ，２ｂと無線通信を行う範囲内でのみ、電波が到達するよう電波強度を設定できるので、無線通信を行っている範囲外からの無線通信を遮断して、第三者からの不正アクセスを防止し、セキュリティの向上を図る。【選択図】        図１
2004194133.tif 000002
【特許請求の範囲】
【請求項１】
無線通信によって複数の端末装置とデータの送受信を行うポータブルサーバにおいて、
電波強度が設定入力される電波設定入力手段と、
前記電波強度に応じて、アンテナに出力される前記データの信号電流量を増減する電流制御手段と、
を有することを特徴とするポータブルサーバ。
【請求項２】
前記電波設定入力手段は、前記端末装置から前記電波強度が設定入力されることを特徴とする請求項１記載のポータブルサーバ。
【請求項３】
前記電波設定入力手段は、前記端末装置から送信されるパスワードが、設定されたパスワードと一致したときのみ、前記電波強度の設定入力を受け付けることを特徴とする請求項２記載のポータブルサーバ。
【請求項４】
有線ネットワークを介して前記データの送受信を行う有線送受信手段を有することを特徴とする請求項１記載のポータブルサーバ。
【発明の詳細な説明】
【０００１】
【発明の属する技術分野】
本発明はポータブルサーバに関し、特に無線通信によって複数の端末装置とデータの送受信を行うポータブルサーバに関する。
【０００２】
【従来の技術】
近年、電子機器間のデータの送受信は、ワイヤレスＬＡＮ（Local Area Network）などの無線通信によって盛んに行われている。例えば、複数の情報処理装置が無線を介して１台のプリンタを共有するワイヤレスプリンタサーバがある（例えば、特許文献１参照）。無線を利用することによって、設置、配線が容易となり、また配線が占めるスペースが低減される。
【０００３】
ところで、ＮＡＳ（Network attacked storage）などのサーバにも無線を利用したものがあるが、このようなワイヤレスサーバは、形状が大きく、持ち運びをして使用できるものではない。
【０００４】
【特許文献１】
特開平５−１４３２５４号公報（第２頁、第２図）
【０００５】
【発明が解決しようとする課題】
そこで、ワイヤレスサーバを持ち運びできるように小型化し、会議室などの限られたスペースで、限られた者だけで使用しようとしたが、電波の漏れにより、第三者にもアクセスされるおそれがあり、セキュリティ上、脆弱であるという問題点があった。
【０００６】
本発明はこのような点に鑑みてなされたものであり、電波強度を設定可能にして、無線通信によるネットワークを限定した範囲内で構築し、セキュリティの向上を図ったポータブルサーバを提供することを目的とする。
【０００７】
【課題を解決するための手段】
本発明では上記課題を解決するために、無線通信によって複数の端末装置とデータの送受信を行うポータブルサーバにおいて、電波強度が設定入力される電波設定入力手段と、前記電波強度に応じて、アンテナに出力される前記データの信号電流量を増減する電流制御手段と、を有することを特徴とするポータブルサーバが提供される。
【０００８】
このようなポータブルサーバによれば、端末装置と無線通信を行う範囲内にのみ、電波が到達するよう電波強度を設定できるので、無線通信のネットワークを範囲を限定して構築でき、無線通信を行っている範囲外からの無線通信を遮断する。
【０００９】
【発明の実施の形態】
以下、本発明の実施の形態を図面を参照して説明する。
図１は、本発明のポータブルサーバの原理図である。図に示すように、ポータブルサーバ１は、電波設定入力手段１ａ、電流制御手段１ｂ、及びアンテナ１ｃを有している。また、図１には、ポータブルサーバ１と無線通信によってデータの送受信を行う端末装置２ａ，２ｂが示してある。
【００１０】
電波設定入力手段１ａは、アンテナ１ｃを介して端末装置２ａ，２ｂと無線通信を行う電波の電波強度が設定入力される。例えば、会議室内で、端末装置２ａ，２ｂと無線通信をする場合、その会議室内でのみ電波が到達するよう電波強度の強弱が設定される。
【００１１】
電流制御手段１ｂは、電波設定入力手段１ａに設定された電波強度に応じて、アンテナ１ｃに出力される、端末装置２ａ，２ｂに送信しようとするデータの信号電流量を増減する。例えば、電波強度を強くするように設定入力された場合、電波が遠くに達するようデータの信号電流量を増加する。また、電波強度を弱くするように入力設定された場合、電波が近くでのみ到達するようデータの信号電流量を低減する。
【００１２】
アンテナ１ｃは、電流制御手段１ｂから供給されるデータの信号電流を電波として端末装置２ａ，２ｂに送信するアンテナである。また、端末装置２ａ，２ｂから送信される電波を受信するアンテナである。
【００１３】
以下、原理図の動作について説明する。ポータブルサーバ１と端末装置２ａ，２ｂを、例えば、会議室で使用するとする。この場合、会議室の外の第三者からアクセスされるのを防止するため、この会議室内でのみ電波が到達するように、電波設定入力手段１ａに電波強度を設定入力する。
【００１４】
電流制御手段１ｂは、電波設定入力手段１ａに設定入力された電波強度に応じて、アンテナ１ｃに出力される、端末装置２ａ，２ｂに送信しようとするデータの信号電流量を増減する。すなわち、端末装置２ａ，２ｂに送信する電波の到達距離が制御され、電波は、会議室内でのみ到達されるよう制御される。
【００１５】
このように、端末装置と無線通信を行う範囲内でのみ、電波が到達するよう電波強度を設定できるようにしたので、無線通信を行っている範囲外からの無線通信は遮断される。よって、第三者からの不正アクセスを防止し、セキュリティを向上することができる。
【００１６】
図２は、ポータブルサーバの使用例を示した図である。図２に示すように、会議室４０内では、本発明のポータブルサーバ１０、ノート型のパーソナルコンピュータである端末装置３１，３２、ＰＤＡ（Personal Digital Assistant）である端末装置３３、及び携帯電話である端末装置３４の無線通信によるネットワークが構築されている。また、会議室４０には、スクリーン４１が設置されている。
【００１７】
ポータブルサーバ１０は、会議室４０内でのみ電波が到達するように、電波強度が設定されている。すなわち、ポータブルサーバ１０は、会議室４０内にある端末装置３１〜３４とのみ、データの送受信が可能となっている。
【００１８】
ポータブルサーバ１０には、会議に必要なデータが記憶されている。例えば、スクリーン４１に表示される図、表などのデータが記憶されている。スクリーン４１に表示される図、表などを、端末装置３１のディスプレイに表示させたい場合、又は記憶したい場合、ポータブルサーバ１０にその図、表のデータを送信するようアクセスする。ポータブルサーバ１０は、要求のあったデータを端末装置３１に送信する。
【００１９】
また、ポータブルサーバ１０は、端末装置３１〜３４から、データを記憶するよう要求があった場合、端末装置３１〜３４から送信されるデータを記憶する。また、ポータブルサーバ１０は、端末装置３１〜３４から、データを転送するよう要求があった場合、端末装置３１〜３４から送信される、転送しようとするデータを受信する。ポータブルサーバ１０は、受信した転送しようとするデータを転送先の端末装置３１〜３４に送信する。
【００２０】
このように、ポータブルサーバ１０によって、端末装置３１〜３４は、データの共有化を図ることができる。
ここで、会議室４０の外から、ポータブルサーバ１０に記憶されているデータを、不正に受信しようとする第三者がいたとする。この場合、ポータブルサーバ１０は、会議室４０内でのみ、電波が到達するように設定されているので、電波が第三者に到達することはない。従って、第三者によってデータを不正に取得されることがなく、セキュリティを向上することができる。
【００２１】
また、ポータブルサーバ１０は、有線のネットワークにも接続可能である。図３は、ポータブルサーバを有線ネットワークに接続した場合の使用例を示す図である。図３に示すように、ポータブルサーバ１０が装着されるクレイドル５０が、有線ネットワークであるＬＡＮ６０に接続されている。ＬＡＮ６０には、デスクトップ型のパーソナルコンピュータである端末装置３５、ノート型のパーソナルコンピュータである端末装置３６が接続されている。端末装置３５，３６は、無線機能を有しておらず、ＬＡＮ６０を介してのみ、データの送受信が可能な端末である。ポータブルサーバ１０は、クレイドル５０に装着されることにより、ＬＡＮ６０と接続され、端末装置３５，３６とデータの送受信が可能となる。
【００２２】
また、図２で示した、ポータブルサーバ１０と無線通信によってデータの送受信を行う端末装置３１〜３４が示してある。ポータブルサーバ１０は、限定された距離内で、端末装置３１〜３４とデータの送受信を行うように電波強度が設定されている。
【００２３】
このように、ポータブルサーバ１０は、クレイドル５０に装着されることにより、無線機能を有さない端末装置３５，３６とデータの送受信が可能である。また、ポータブルサーバ１０は、無線通信によって端末装置３１〜３４とデータの送受信が可能である。よって、無線機能を有する端末装置３１〜３４と無線機能を有さない端末装置３５，３６は、ポータブルサーバ１０を介してデータの送受信が可能となり、データを共有することができる。
【００２４】
図４は、ポータブルサーバとクレイドルの外観を示す正面図であり、（Ａ）はポータブルサーバ、（Ｂ）はクレイドルの正面図である。図４（Ａ）に示すように、ポータブルサーバ１０は、ＬＣＤ（Liquid Crystal Display）１１、キー１２を有している。図４（Ｂ）に示すクレイドル５０は、図３に示したＬＡＮ６０に接続される。
【００２５】
クレイドル５０は、ポータブルサーバ１０が装着されることにより、ポータブルサーバ１０をＬＡＮ６０に接続し、ポータブルサーバ１０とＬＡＮ６０に接続されている端末装置３５，３６を通信可能とする。
【００２６】
図５は、ポータブルサーバのブロック構成図である。図に示すように、ポータブルサーバ１０は、ＬＣＤ１１、キー１２、アンテナ１３、ＣＰＵ（Central Processing Unit）１４、ＲＡＭ（Random Access Memory）１５、ＨＤＤ（Hard Disk Drive）１６、グラフィック処理装置１７、入力インターフェース１８、ワイヤレスＬＡＮインターフェース１９、ＬＡＮインターフェース２０、コネクタ２１、電源回路２２、バッテリ２３、及びバス２４を有している。また、図５には、ポータブルサーバ１０に、外部の交流電源を直流電源として供給するＡＣ（Alternating Current）アダプタ７０が示してある。
【００２７】
ＲＡＭ１５には、ＣＰＵ１４に実行させるＯＳ(Operating System)のプログラムやアプリケーションプログラムの少なくとも一部が一時的に記憶される。また、ＲＡＭ１５には、ＣＰＵ１４による処理に必要な各種データが記憶される。  ＨＤＤ１６には、ＯＳやアプリケーションプログラムなどが記憶される。また、図２，３に示した端末装置３１〜３６が共有するデータが記憶される。
【００２８】
グラフィック処理装置１７には、ＬＣＤ１１が接続されている。グラフィック処理装置１７は、ＣＰＵ１４からの命令に従って、画像をＬＣＤ１１に表示させる。
【００２９】
入力インターフェース１８には、キー１２が接続されている。入力インターフェース１８は、キー１２から送られてくる信号を、バス２４を介してＣＰＵ１４に送信する。
【００３０】
ワイヤレスＬＡＮインターフェース１９には、内蔵されたアンテナ１３が接続されている。ワイヤレスＬＡＮインターフェース１９は、ＣＰＵ１４からの命令に従って、端末装置３１〜３４と無線ＬＡＮによってデータの送受信を行う。ワイヤレスＬＡＮインターフェース１９は、ＣＰＵ１４からの命令によって、アンテナ１３に出力される、端末装置３１〜３４に無線送信しようとするデータの信号電流量を増減する。
【００３１】
ＬＡＮインターフェース２０には、コネクタ２１が接続されている。コネクタ２１は、図４で示したクレイドル５０が有するＬＡＮ６０と接続されたコネクタと嵌合する。すなわち、ポータブルサーバ１０がクレイドル５０に装着されると、コネクタ２１は、ＬＡＮ６０と接続される。ＬＡＮインターフェース２０は、ＣＰＵ１４からの命令に従って、ＬＡＮ６０を介し端末装置３５，３６とデータの送受信を行う。
【００３２】
電源回路２２には、ＡＣアダプタ７０が接続される。ＡＣアダプタ７０は、ＡＣコンセントから電圧が供給され、ポータブルサーバ１０が適応する電圧に降圧し、電源回路２２に供給する。電源回路２２は、ＡＣアダプタ７０の電圧をポータブルサーバ１０内の各デバイス等に供給する。また、電源回路２２は、ＡＣアダプタの電圧をバッテリ２３に供給し、常にフル充電状態となるようにする。また、電源回路２２は、ＡＣアダプタ７０が接続されない場合は、バッテリ２３の電圧をポータブルサーバ１０内の各デバイス等に供給する。また、電源回路２２は、ＡＣアダプタ７０からの電圧が、例えば、停電、ＡＣアダプタ７０のプラグがＡＣコンセントから抜けたなどにより、遮断された場合、バッテリ２３の電圧をポータブルサーバ１０内の各デバイス等に供給するように切替える。
【００３３】
ＣＰＵ１４は、バス２４を介して、ＲＡＭ１５、ＨＤＤ１６、グラフィック処理装置１７、入力インターフェース１８、ワイヤレスＬＡＮインターフェース１９、及びＬＡＮインターフェース２０と接続され、装置全体を制御している。
【００３４】
ＣＰＵ１４は、キー１２から設定入力される電波強度に応じて、ワイヤレスＬＡＮインターフェース１９がアンテナ１３に出力する、無線送信するデータの信号電流量を増減する。例えば、キー１２から電波強度を弱くするように設定入力された場合、ＣＰＵ１４は、ワイヤレスＬＡＮインターフェース１９に、アンテナ１３に出力するデータの信号電流量を低減するように命令する。ワイヤレスＬＡＮインターフェース１９は、ＣＰＵ１４の命令により、アンテナ１３に出力するデータの信号電流量を低減するようにする。
【００３５】
また、電波強度の設定入力は、端末装置３１〜３４からも設定可能である。アンテナ１３は、端末装置３１〜３４から、電波強度の強弱設定に関するデータを受信する。受信したデータは、ワイヤレスＬＡＮインターフェース１９、バス２４を介して、ＣＰＵ１４に送信される。ＣＰＵ１４は、受信したデータに応じて、ワイヤレスＬＡＮインターフェース１９のアンテナ１３に出力するデータの信号電流量を増減する。また、ＬＡＮ６０に接続されている端末装置３５，３６も同様に、電波強度の設定入力が可能である。コネクタ２１は、端末装置３５，３６から、電波強度の強弱設定に関するデータを受信する。受信したデータは、ＬＡＮインターフェース２０、バス２４を介して、ＣＰＵ１４に送信される。ＣＰＵ１４は、受信したデータに応じて、ワイヤレスＬＡＮインターフェース１９のアンテナ１３に出力するデータの信号電流量を増減する。
【００３６】
なお、ＣＰＵ１４は、端末装置３１〜３６からパスワードを受信し、ＨＤＤ１６に記憶されているパスワードと比較して、一致した場合のみ、端末装置３１〜３６の電波強度の強弱設定に関するデータの送信を可能とする。ここで、ＨＤＤ１６に記憶されているパスワードは、例えば、キー１２から予め設定入力される。
【００３７】
図６は、電波強度と通信可能距離の関係の一例を示した図である。図に示すように、アンテナ１３から電波強度２０ｄＢｍの電波を放射するように、ワイヤレスＬＡＮインターフェース１９の電流量を制御すると、ポータブルサーバ１０を中心として、半径１００ｍの範囲内で通信可能となる。アンテナ１３から電波強度１０ｄＢｍの電波を放射するように、ワイヤレスＬＡＮインターフェース１９の電流量を制御すると、ポータブルサーバ１０を中心として、半径２０〜３０ｍの範囲内で通信可能となる。アンテナ１３から電波強度３ｄＢｍの電波を放射するように、ワイヤレスＬＡＮインターフェース１９の電流量を制御すると、ポータブルサーバ１０を中心として、半径５ｍの範囲内で通信可能となる。なお、上記は、通信可能な範囲内に、障害物が存在しない場合の結果である。
【００３８】
以下、ポータブルサーバ１０の動作について説明する。
ポータブルサーバ１０を使用する場所に応じて、電波強度の設定入力をする。例えば、ある会議室内で使用する場合、その会議室内でのみ無線通信が可能となるように、電波強度の強弱設定をする。
【００３９】
電波強度の設定入力は、ポータブルサーバ１０のキー１２から行う。ＣＰＵ１４は、キー１２に入力された電波強度に応じてワイヤレスＬＡＮインターフェース１９に、アンテナ１３に出力するデータの信号電流量の増減を指示する。ワイヤレスＬＡＮインターフェース１９は、ＣＰＵ１４によって命令された電流量で、データの信号電流をアンテナ１３に出力する。
【００４０】
また、電波強度の設定入力は、端末装置３１〜３６からも可能である。
図７は、電波強度の強弱設定を行う端末装置の画面例である。図に示すように、端末装置３１〜３６のディスプレイに表示される画面８０には、パスワード入力部８１、電波強度設定入力部８２、ボタン８３，８４が設けられている。
【００４１】
パスワード入力部８１は、パスワードが入力されるテキストボックスである。ポータブルサーバ１０の電波強度の設定を変更する場合、パスワード入力部８１にパスワードを入力する。
【００４２】
電波強度設定入力部８２は、ポータブルサーバ１０の設定しようとする電波強度が入力されるテキストボックスである。電波強度設定入力部８２には、整数が入力され、入力された整数に対応して、ポータブルサーバ１０の電波強度が設定入力される。また、ボタン８３をクリックすると電波強度一覧８３ａが表示される。この電波強度一覧８３ａから、電波強度を選択してもよい。例えば、電波強度一覧８３ａに示す「７０：半径５ｍ内」を選択すると、電波強度設定入力部８２に「７０」を入力したのと同じ電波強度が設定される。
【００４３】
ボタン８４は、パスワード入力部８１に入力されたパスワード、電波強度設定入力部８２に入力された電波強度を確定する。そして、ポータブルサーバ１０に送信する
端末装置３１〜３４から送信されるパスワード、電波強度は、ポータブルサーバ１０のアンテナ１３によって受信され、ワイヤレスＬＡＮインターフェース１９、バス２４を介してＣＰＵ１４に送られる。また、端末装置３５，３６から送信されるパスワード、電波強度は、コネクタ２１に受信され、ＬＡＮインターフェース２０、バス２４を介してＣＰＵ１４に送られる。
【００４４】
ＣＰＵ１４は、端末装置３１〜３６から送信されたパスワードと、ＨＤＤ１６に記憶されているパスワードを比較する。
パスワードが一致しなかった場合ＣＰＵ１４は、パスワードが一致しなかった旨を端末装置３１〜３６に送信する。端末装置３１〜３６は、再度パスワード入力を行うように促す画面をディスプレイに表示する。
【００４５】
パスワードが一致した場合ＣＰＵ１４は、端末装置３１〜３６から送信された電波強度となるようワイヤレスＬＡＮインターフェース１９に命令する。ワイヤレスＬＡＮインターフェース１９は、ＣＰＵ１４から命令された電波強度となるように、アンテナ１３に出力される、送信しようとするデータの信号電流量を増減する。
【００４６】
例えば、図７で示した画面８０のパスワード入力部８１に、適正なパスワードが入力され、電波強度設定入力部８２に「７０」（半径５ｍで通信可能となる電波強度）が入力されたとする。この場合、ワイヤレスＬＡＮインターフェース１９は、半径５ｍ内の端末装置３１〜３４と無線通信できるように、アンテナ１３に出力されるデータの信号電流量を増減する。
【００４７】
端末装置３１〜３４から指定されたデータの送信要求があった場合、ＣＰＵ１４は、ＨＤＤ１６に格納されている送信要求のあったデータを取得する。ＣＰＵ１４は、ＨＤＤ１６から取得したデータを、バス２４を介してワイヤレスＬＡＮインターフェース１９に送信する。ワイヤレスＬＡＮインターフェース１９は、設定されている電波強度となるように、送信するデータの信号電流量を制御してアンテナ１３に出力し、端末装置３１〜３４に送信する。
【００４８】
また、端末装置３１〜３４間でのデータ転送要求があった場合、アンテナ１３は、転送元となる端末装置３１〜３４から転送すべきデータ信号を受信する。受信されたデータ信号は、ワイヤレスＬＡＮインターフェース１９によって、ＣＰＵ１４に送信される。ＣＰＵ１４は、受信したデータを転送先に送信するようワイヤレスＬＡＮインターフェース１９に送信する。ワイヤレスＬＡＮインターフェース１９は、設定されている電波強度となるように、転送すべきデータの信号電流量を制御してアンテナ１３に出力し、端末装置３１〜３４に送信する。
【００４９】
また、端末装置３１〜３４からデータの記憶要求があった場合、ＣＰＵ１４は、端末装置３１〜３４から送信されるデータをＨＤＤ１６に格納する。
なお、端末装置３５，３６におけるデータの送信要求、転送要求、記憶要求は、ＬＡＮ６０と、クレイドル５０、コネクタ２１、及びＬＡＮインターフェース２０を介して行われる。
【００５０】
また、停電、プラグがＡＣコンセントから抜けたなど、ＡＣアダプタ７０からの電圧が遮断された場合、電源回路２２は、バッテリ２３の電圧を各デバイスに供給するように切替える。
【００５１】
このように、端末装置と無線通信を行う範囲内にのみ、電波が到達するよう電波強度を設定できるようにしたので、無線通信のネットワークを範囲を限定して構築でき、無線通信を行っている範囲外からの無線通信を遮断し、第三者からの不正アクセスを防止して、セキュリティを向上することができる。
【００５２】
また、端末装置３１〜３６から電波強度の設定をできるようにしたので、端末装置３１〜３６の利用者は、ポータブルサーバ１０を操作することなく、容易に電波強度の設定をすることができる。
【００５３】
また、端末装置３１〜３６から電波強度を設定する場合、パスワード入力させ、一致した場合のみ電波強度の設定を可能とするようにしたので、第三者が勝手に電波強度を強め、構築したネットワークの外から不正アクセスすることを防止することができる。
【００５４】
また、外部から供給される電源のＡＣアダプタ７０の電圧が遮断された場合、バッテリ２３に電源を切替え、電圧を供給するようにしたので、記憶しているデータの消滅から保護することができる。
【００５５】
さらに、有線のＬＡＮ６０にも接続できるようにしたので、無線機能を有さない端末装置ともデータの共有化を図ることができる。
なお、上記の説明で、端末装置をノート型、デスクトップ型のパーソナルコンピュータ、ＰＤＡ、及び携帯電話としたが、データを保有する、例えばデジタルカメラやゲーム機などの電子機器であってもよい。このような電子機器においても、第三者の不正アクセスを防止して、例えば、撮影した映像データやゲームの履歴データの送受信又は記憶ができる。
【００５６】
【発明の効果】
以上説明したように本発明では、複数の端末装置と無線通信を行う範囲内でのみ、電波が到達するよう電波強度を設定できるようにしたので、無線通信を行っている範囲外からの無線通信を遮断して、第三者からの不正アクセスを防止し、セキュリティの向上を図ることができる。
【図面の簡単な説明】
【図１】本発明のポータブルサーバの原理図である。
【図２】ポータブルサーバの使用例を示した図である。
【図３】ポータブルサーバを有線ネットワークに接続した場合の使用例を示す図である。
【図４】ポータブルサーバとクレイドルの外観を示す正面図であり、（Ａ）はポータブルサーバ、（Ｂ）はクレイドルの正面図である。
【図５】ポータブルサーバのブロック構成図である。
【図６】電波強度と通信可能距離の関係の一例を示した図である。
【図７】電波強度の強弱設定を行う端末装置の画面例である。
【符号の説明】
１，１０……ポータブルサーバ、１ａ……電波設定入力手段、１ｂ……電流制御手段、１ｃ，１３……アンテナ、２ａ，２ｂ，３１〜３６……端末装置、１１……ＬＣＤ、１２……キー、１４……ＣＰＵ、１５……ＲＡＭ、１６……ＨＤＤ、１７……グラフィック処理装置、１８……入力インターフェース、１９……ワイヤレスＬＡＮインターフェース、２０……ＬＡＮインターフェース、２１……コネクタ、２２……電源回路、２３……バッテリ、４０……会議室、５０……クレイドル、６０……ＬＡＮ、７０……ＡＣアダプタ、８１……パスワード入力部、８２……電波強度設定入力部
【図１】
2004194133.tif 000003
【図２】
2004194133.tif 000004
【図３】
2004194133.tif 000005
【図４】
2004194133.tif 000006
【図５】
2004194133.tif 000007
【図６】
2004194133.tif 000008
【図７】
2004194133.tif 000009